(57)【要約】【課題】透明な材質を使用しても外観の美しさを損なわないマウスの構造を提供する。【解決手段】ボタン板２１，上外殻２２，下外殻２３より構成し、該上外殻２２と下外殻２３間に設けるマウス２０をコントロールする回路装置は回路板２４とボタンスイッチ２５とを含み、該外殻２２上には該ボタンスイッチ２５に対応した個所に垂直の開口２２１を設け、該開口２２１内部には可動な状態で柱体２１１を設け、該ボタン板２１尾部と該上外殻２２の相対する個所には、それぞれ凹部２３１と凸部２２２を設けて嵌合することにより尾部で固定されたカンチレバー撓み構造の該ボタン板前部を押し下げて該ボタンスイッチ２５を押すことにより、該柱体２１１が下方に押されて該ボタンスイッチ２５を押す。以上の構造により、内部の部品を該上下外殻内に隠しつつ、該上下外殻が着脱し易いように固定される。【選択図】　　　　図３
0003097463.tif 000002
【実用新案登録請求の範囲】
【請求項１】
本体とボタン板とより構成されるマウスの構造において、
内部に回路板とボタンスイッチとを含む回路装置を具有する該本体と、
該本体上部に設けられる該ボタン板と、
を具有し、該本体上部の該ボタンスイッチに相対する個所には、開口を設け、該開口内には柱体を設け、該ボタン板を介して該柱体を押すことにより該柱体を下方に推移させて該ボタンスイッチに接触させることを特徴とするマウスの構造。
【請求項２】
該ボタン板は透明の材質であることを特徴とする請求項１記載のマウスの構造。
【請求項３】
上外殻と、下外殻と、ボタン板と、より構成されるマウスの構造において、
該下外殻を被覆する該上外殻と、
該上外殻との間に回路板とボタン板とを含む回路装置が設けられ、且つ該上外殻とボルトで螺合される該下外殻と、
該上外殻上方に設置され、該外殻の前部から尾部に延長された該ボタン板と、を具有し、該ボタン板尾部と該上外殻の相対する面には、相対する凹部と凸部とが設けられており、該凸部と該凹部とを嵌合することで、該上外殻と該ボタン板とが位置決め固定され、更に該上外殻上部の該ボタンスイッチに相対する個所には開口が設けられ、該開口内部には柱体が設けられ、該柱対の最上部は該ボタン板に面しており、該ボタン板を押すことで、該柱体が下方に推移して、該ボタンスイッチに接触することを特徴とするマウスの構造。
【請求項４】
該ボタン板は透明の材質であることを特徴とする請求項３記載のマウスの構造。
【請求項５】
該凹部は該ボタン板尾部の内壁に設けられ、該凸部は該上外殻の該凹部に相対する個所に設けられることを特徴とする請求項３記載のマウスの構造。
【請求項６】
該凹部が開口となっていることを特徴とする請求項５記載のマウスの構造。
【考案の詳細な説明】
【０００１】
【考案の属する技術分野】
本考案はマウスの構造に係り、特にボタン板とボタンスイッチの間に柱体を可動状態で設けたマウスの構造に関わる。
【０００２】
【従来の技術】
公知におけるマウスの主な構造は、図１に示すように、マウス１０は主にボタン板１１と上外殻１２と下外殻１３と回路板１４等より構成されており、該ボタン板１１底部にはフレーム構造１１１が設けられており、該上外殻１２の相対する位置には凸架１２１が設けられている。該凸架１２１は該フレーム構造１１１内に穿設されており、該ボタン板１１が該上外殻１２と離れないように固定している。
該ボタン構造１１を押すと、該フレーム構造１１１は下方に運動し、該フレーム構造１１１底部は、該回路板１４上に設置されているボタンスイッチ１５のプッシュ部１５１と接触する。この類のボタンの構造は広く応用されており、現在のマウス市場のほとんどを占める構造であるといえる。
【０００３】
【考案が解決しようとする課題】
しかし上述のような公知におけるマウスの構造では、不透明な外殻やボタン板を採用した場合は別であるが、透明なものを採用した場合、内部に組み立てられている電子部品が、外観の美しさを損なってしまうといった欠点がある。
そこで透明な材質を使用しても外観の美しさを損なわない本考案のマウスの構造を提供する。
【０００４】
【課題を解決するための手段】
主にボタン板，上外殻，下外殻より構成し、該ボタン板を該上外殻上に被覆するように設け、該上外殻と下外殻間にはマウスをコントロールする回路装置を設けるが、該回路装置には回路板とボタンスイッチとが含まれ、該外殻上には該ボタンスイッチに対応した個所に垂直の開口を設け、該開口内部には可動な状態で柱体を設け、該ボタンスイッチを押したとき、該柱体が下方に押されて該ボタンスイッチを押し、該ボタン板尾部と該上外殻の相対する個所には、それぞれ凹部と凸部を設けて嵌合し、内部の部品を該上下外殻内に隠しつつ、該上下外殻が着脱し易いように固定する。
【０００５】
【考案実施の形態】
図２，３に示すように、本考案の該マウス２０にはボタン板２１と上外殻２２と下外殻２３とを含み、該上外殻２２は下外殻２３上に設置されており、該上外殻２２底部には雌ネジ構造２２３が設けられており、該下外殻２３底部の該雌ネジ構造２２３に対応した個所には該下外殻２３内部に陥没したような形状を呈した凹部２３１が設けられている。該凹部２３１中心にはネジ孔２３２が設けられており、該上外殻２２及び下外殻２３の間には回路板２４が設けられている。更に該回路板２４上の前部にはボタンスイッチ２５が設けられており、該回路板２４には該マウス２０を制御するコントロール回路を具有し、該回路板２４の該凹部２３１に相対する個所には開口２４１設けられており、該開口２４１を該凹部２３１外に嵌設し、該回路板２４が該下外殻２３上に設置される。
その他にフックやネジなどで該回路板２４の固定性を強化するが、これは公知の技術となるため、ここでは敢えて特記しないが、ボルト２６においては、該下外殻２３底部より上向きに該凹部２３１に穿設し、更にネジ孔２３２に螺設し、該ボルト２６が該上外殻２２の雌ネジ構造２２３と螺合する。こうして該上外殻２２と下外殻２３とが相互に螺合され、該回路板２４と該ボタンスイッチ２５とを該上外殻２２と下外殻２３間に挟設する。
【０００６】
該ボタン板２１は、該上外殻２２上方に設置され、該ボタン板２１は該上外殻２２の前部より該上外殻２２尾部にまで延伸する。該ボタン板２１尾部の内壁には更に凹部２１２が設けられており、該上外殻２２の相対する位置には該凹部２１２に嵌合されるべく凸部２２２が設けられている。該ボタン板２１を該上外殻２２２にカバーすると図４に示すようになる。該ボタン板２１尾部の内壁には開口２１２ａが設けられ、該上外殻２２のこれに相対する個所には、該開口２１２ａに嵌合される凸部２２２ａが設けられており、これは上述の凹部２１２と凸部２２２と同様の効果をもたらす（図２）。
更に該上外殻２２最上部には、該ボタンスイッチ２５に相対する個所に、垂直方向で設けられた開口２２１を具有し、該開口２２１内部には柱体２１１が設けられており、該柱体２１１は該開口２２１内にて垂直方向の移動をするものとする。
【０００７】
図５，６に示すように、該ボタン板２１はＵ字型を呈しており、前側は対称を呈したボタン部２１ａ，２１ｂが設けられており、該ボタン部２１ａ，２１ｂはそれぞれ該柱体２１１に対応しており、該ボタン部２１ａ，２１ｂの間には開口２１３が設けられて、ローラーボタン２７が穿出する個所を提供している。該凹部２１２が該凸部２２２に嵌合された後、該ボタン板２１を該上外殻２２に被せられ、該ボタン板２１は該上外殻２２と下外殻２３の外形に合わせられて円弧形を呈したカバーのような形状を呈しており、該ボタン板２１を該外殻２２に被覆した後、該ボタン板２１の尾部は該凸部２２２は固定されて移動できない状態となり、また該ボタン板２１前側は可動状態となる。外から該ボタン板２１の尾部に力を施し、強制的に該凹部２１２と凸部２２２とを離そうとしない限り、正常な使用状態では、該ボタン板２１は該上外殻２２から外れないようになっている。
【０００８】
該ボタン板２１の正確な使用法においては、図３に示すように、先ず該ボルト２６を緩めて外し、該上外殻２２を該下外殻２３より外したら、該ボタン板２１を該上外殻２２と離す。必要に応じて該凹部２１２と該凸部２２２の数量を増やしてもよく、こうすることでは該ボタン板２１と該上外殻２２との構造を強化することができ、また該凹部２１２と該凸部２２２の位置を逆にする、つまり該凹部２１２を該上外殻２２の外壁に、該凸部２２２を該ボタン板２１内壁の相対した個所に設けたとしても、相同の構造であることから相同の効果が得られる。
【０００９】
図４に示すように、該柱体２１１で該プッシュボタン２５を押す動作においては、該ボタン板２１と該上外殻２２とが相互に組み立てられた後、該ボタン板２１と該上外殻２２との間には間隔Ｄが開き、該柱体２１１は該ボタンスイッチ２５上に位置し、該柱体２１１底部は該ボタンスイッチ２５のプッシュ部２５１に位置し、該ボタン板２１を離すと、同時に該柱体２１１が該プッシュ部２５１を離れる。以上をクリックの動作とする。
【００１０】
【考案の効果】
本考案によると、内部の部品が外殻内に隠されて、外観の美しさを損ねることなく、透明の材質による外殻を設置する目的が達成された。
【図面の簡単な説明】
【図１】公知におけるマウスの構造断面図である。
【図２】本考案における実施例の分解断面図である。
【図３】本考案のボタンと上外殻におけるもう一つの実施例を示す図である。
【図４】本考案の実施例における組み立て後の分解図である。
【図５】本考案の実施例における立体分解図である。
【図６】本考案の実施例における立体図である。
【符号の説明】
１０　マウス
１１　ボタン板
１１１　フレーム構造
１２　上外殻
１２１　凸架
１３　下外殻
１４　回路板
１５　ボタンスイッチ
１５１　プッシュ部
２０　マウス
２１　ボタン板
２１ａ，２１ｂ　　ボタン部
２１１　柱体
２１２　凹部
２１２ａ　　開口
２１３　開口
２２　上外殻
２２１　開口
２２２，２２２ａ　　凸部
２２３　雌ネジ構造
２３　下外殻
２３１　凹部
２３２　ネジ孔
２４　回路板
２４１　開口
２５　ボタンスイッチ
２５１　プッシュ部
２６　ボルト
２７　ローラーボタン
Ｄ　　間隔
【図１】
0003097463.tif 000003
【図２】
0003097463.tif 000004
【図３】
0003097463.tif 000005
【図４】
0003097463.tif 000006
【図５】
0003097463.tif 000007
【図６】
0003097463.tif 000008